Podtech/llm-jp-corpus-v4-ja_patent huggingface dataset:
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技媒体が入賞容易な第１状態と、遊技媒体が入賞困難または入賞不能な第２状態とに変化可能な可変入賞手段と、
前記有利状態として、所定期間が経過することまたは所定の上限数の遊技媒体が入賞することの少なくともいずれか一方が成立するまで前記可変入賞手段を前記第１状態に変化させることが可能な特定遊技を所定回、実行する可変入賞制御手段と、
前記有利状態において、前記可変入賞手段に設けられた特別領域に遊技媒体が入賞したことに基づいて、遊技者にとって有利な特別状態に制御する特別状態制御手段と、
前記特定遊技において遊技媒体が前記所定の上限数を超えて前記可変入賞手段に入賞したことに基づいて、報知演出を実行する報知演出実行手段と、
前記有利状態における特定回目の特定遊技が開始されるときに前記特別領域への遊技媒体の入賞を促す促進演出を実行する促進演出実行手段と、
前記促進演出に関連して前記報知演出の実行を制限する報知演出制限手段とを備える、遊技機。
【手続補正２】
【補正対象書類名】明細書
【補正対象項目名】０００５
【補正方法】変更
【補正の内容】
【０００５】
しかし、特許文献１のようなパチンコ遊技機においては、いわゆるオーバー入賞の報知演出によって、特別領域への遊技媒体の入賞を遊技者に促す促進演出が阻害されてしまうといった問題があり、報知演出の実行において促進演出の実行が考慮されておらず、改善の余地があった。
【手続補正３】
【補正対象書類名】明細書
【補正対象項目名】０００６
【補正方法】変更
【補正の内容】
【０００６】
この発明はかかる事情に鑑み考え出されたものであり、その目的は、可変入賞手段に設けられた特別領域への遊技媒体の入賞を遊技者に促す演出を好適に実行することが可能な遊技機を提供することである。
【手続補正４】
【補正対象書類名】明細書
【補正対象項目名】０００７
【補正方法】変更
【補正の内容】
【０００７】
（１）  遊技者にとって有利な有利状態（たとえば、大当り状態）に制御可能な遊技機（たとえば、パチンコ遊技機１）であって、
遊技媒体（たとえば、遊技球）が入賞容易な第１状態（たとえば、開放状態）と、遊技媒体が入賞困難または入賞不能な第２状態（たとえば、閉鎖状態）とに変化可能な可変入賞手段（たとえば、特別可変入賞球装置７Ａ，７Ｂ）と、
前記有利状態として、所定期間（たとえば、大入賞口開放上限時間）が経過することまたは所定の上限数（たとえば、入賞上限判定値＝１０個）の遊技媒体が入賞することの少なくともいずれか一方が成立するまで前記可変入賞手段を前記第１状態に変化させることが可能な特定遊技（たとえば、ラウンド遊技）を所定回（たとえば、１６ラウンド，６ラウンド）、実行する可変入賞制御手段（たとえば、遊技制御用マイクロコンピュータ１００）と、
前記有利状態において、前記可変入賞手段に設けられた特別領域（たとえば、特別領域＝いわゆるＶ領域）に遊技媒体が入賞したことに基づいて、遊技者にとって有利な特別状態（たとえば、確変状態）に制御する特別状態制御手段（たとえば、遊技制御用マイクロコンピュータ１００）と、
前記特定遊技において遊技媒体が前記所定の上限数を超えて前記可変入賞手段に入賞したこと（たとえば、いわゆるオーバー入賞したこと）に基づいて、報知演出（たとえば、インターバル期間から次のラウンド遊技の期間に亘って行なわれる猫の鳴き声の演出音の出力。図４３参照。）を実行する報知演出実行手段（たとえば、演出制御用ＣＰＵ１２０、図４０のステップＳ９１８）と、
前記有利状態における特定回目の特定遊技（たとえば、５ラウンド目。通常ラウンド遊技では、特別可変入賞球装置７Ａが開放され、特定ラウンド遊技では、特別可変入賞球装置７Ｂが開放される。）が開始されるときに前記特別領域への遊技媒体の入賞を促す促進演出（たとえば、遊技者に特別領域への入賞を強く促す演出であって、ボイスおよび画像表示装置５での表示によって「Ｖ領域を狙え」と報知する促進演出。図４３（Ｄ）参照。）を実行する促進演出実行手段（たとえば、演出制御用ＣＰＵ１２０、図３５のステップＳ８１７，図３６のステップＳ７５２）と、
前記促進演出に関連して前記報知演出の実行を制限する報知演出制限手段（たとえば、演出制御用ＣＰＵ１２０、図４０のステップＳ９１７。促進演出はラウンド数＝５の特定ラウンド遊技で実行されるので、ラウンド数＝５のときに制限する。）とを備える。
【手続補正５】
【補正対象書類名】明細書
【補正対象項目名】０００８
【補正方法】変更
【補正の内容】
【０００８】
このような構成によれば、可変入賞手段に設けられた特別領域への遊技媒体の入賞を促す促進演出に関連して、所定の上限数を超えた可変入賞手段への入賞の報知演出の実行が制限される。その結果、可変入賞手段に設けられた特別領域への遊技媒体の入賞を遊技者に促す演出を好適に実行することが可能な遊技機を提供することができる。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
黒ショウガ成分を含有する粒子を、ナタネ油あるいはパーム油を含むコート剤にて被覆したことを特徴とする体重増加軽減組成物。
【請求項２】
黒ショウガ成分を含有する粒子を、ナタネ油あるいはパーム油を含むコート剤にて被覆したことを特徴とする内臓脂肪及び／又は皮下脂肪重量低減組成物。
【手続補正２】
【補正対象書類名】明細書
【補正対象項目名】００１０
【補正方法】変更
【補正の内容】
【００１０】
（１）黒ショウガ成分を含有する粒子を、ナタネ油あるいはパーム油を含むコート剤にて被覆したことを特徴とする体重増加軽減組成物。
（２）黒ショウガ成分を含有する粒子を、ナタネ油あるいはパーム油を含むコート剤にて被覆したことを特徴とする内臓脂肪及び／又は皮下脂肪重量低減組成物。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
オピオイド受容体の活性または遮断と関連する疾患の治療用医薬の製造における、式：
【化１】
2016185995.tif 000001
の化合物またはその薬学的に許容され得る塩の使用であって、前記治療は前記化合物の経口投与によりなされ、前記化合物は1.5〜20mgの単位用量で投与される、使用。
【請求項２】
前記化合物が、1.5〜5mgの単位用量で投与される、請求項１記載の使用。
【請求項３】
前記疾患が、薬物中毒およびオピオイド中毒、アルコール中毒、薬物過量摂取、ならびに精神病から選択される、請求項１記載の使用。
【請求項４】
前記疾患が鬱病である、請求項１〜３いずれか記載の使用。
【請求項５】
投与が、1日5回、1日4回、1日3回、1日2回、1日1回、1日おき、週3回、週2回、週1回、月2回、または月1回である、請求項１〜４いずれか記載の使用。
【請求項６】
投与が1日1回である、請求項５記載の使用。
【請求項７】
【化２】
2016185995.tif 000002
の化合物またはその薬学的に許容され得る塩を含有してなり、前記化合物の経口投与によってオピオイド受容体の活性または遮断と関連する疾患を治療するための医薬組成物であって、前記化合物は1.5mg/日〜3mg/日未満の１日用量で投与される、医薬組成物。
【請求項８】
前記疾患が、薬物中毒およびオピオイド中毒、アルコール中毒、薬物過量摂取、ならびに精神病から選択される、請求項７記載の組成物。
【請求項９】
前記疾患が鬱病である、請求項８記載の組成物。
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
入力装置を備えるゲーム装置と、ゲーム装置と通信により接続可能なサーバ装置と、表示装置を備えるクライアント端末とを備え、プレイヤの入力装置への入力操作に従って進行させるネットワークゲームのコンテンツへの評価に関する評価情報をクライアント端末において閲覧可能な評価情報閲覧システムであって、
ゲーム装置が、
ゲームの進行中に、プレイヤの入力装置への入力操作に従って、前記評価情報を受け付ける評価情報受付手段と、
受け付けた評価情報、及び、コンテンツに関するコンテンツ情報をサーバ装置に送信する情報送信手段と
を備え、
クライアント端末が、ゲーム装置により送信された評価情報及びコンテンツ情報を表示する表示手段を備える、評価情報閲覧システム。
【請求項２】
サーバ装置が、ゲーム装置から送信された評価情報及びコンテンツ情報を関連付けて記憶する情報記憶手段を備える、請求項１に記載の評価情報閲覧システム。
【請求項３】
評価情報閲覧システムがさらに、サーバ装置と通信により接続可能なウェブサーバ装置を備え、
サーバ装置における評価情報及びコンテンツ情報の受信、並びに、ウェブサーバ装置におけるサーバ装置から受信した評価情報及びコンテンツ情報のクライアント端末への送信を同期的に制御する、請求項１又は２に記載の評価情報閲覧システム。
【請求項４】
入力装置を備えるゲーム装置と、ゲーム装置と通信により接続可能なサーバ装置と、表示装置を備えるクライアント端末とを備え、プレイヤの入力装置への入力操作に従って進行させるネットワークゲームのコンテンツへの評価に関する評価情報をクライアント端末において閲覧可能な評価情報閲覧システムに含まれるゲーム装置で実行されるプログラムであって、
ゲーム装置を
ゲームの進行中に、プレイヤの入力装置への入力操作に従って、前記評価情報を受け付ける評価情報受付手段、
受け付けた評価情報、及び、コンテンツに関するコンテンツ情報をサーバ装置に送信する情報送信手段
として機能させるプログラム。
【請求項５】
入力装置を備えるゲーム装置と、ゲーム装置と通信により接続可能なサーバ装置と、表示装置を備えるクライアント端末を備え、プレイヤの入力装置への入力操作に従って進行させるネットワークゲームのコンテンツへの評価に関する評価情報をクライアント端末において閲覧させる評価情報閲覧方法であって、
ゲームの進行中に、プレイヤの入力装置への入力操作に従って、前記評価情報を受け付けるステップと、
受け付けた評価情報、及び、コンテンツに関するコンテンツ情報をサーバ装置に送信するステップと、
ゲーム装置により送信された評価情報及びコンテンツ情報をクライアント端末に表示するステップと
を有する、評価情報閲覧方法。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
複数のユーザがそれぞれ使用する複数の通信端末と、前記複数の通信端末と通信可能なサーバと、を備えるゲームシステムであって、
第１の通信端末は、第１の信号を前記サーバへ送信し、
前記サーバは、
前記複数のユーザに関する情報を記憶し、
前記第１の信号を受信すると、第２の信号を複数の第２の通信端末へ送信し、
１以上の前記第２の通信端末それぞれは、前記第２の信号を受信すると、第１のユーザ操作に応じて応答信号を前記サーバへ送信し、
前記サーバは、所定数の前記第２の通信端末それぞれから前記応答信号を受信すると、前記第１の通信端末のユーザに関する情報のうち、前記ゲームの進行処理に用いられるパラメータを増加させ、
前記第１の通信端末は、前記パラメータに関する情報と、前記応答信号を送信した前記１以上の第２の通信端末それぞれのユーザに関する情報と、を表示する、ゲームシステム。
【請求項２】
請求項１に記載のゲームシステムであって、
前記第１の通信端末は、第２のユーザ操作に応じてメッセージ情報を前記サーバへ送信し、
前記サーバは、前記メッセージ情報を受信すると、前記メッセージ情報を前記１以上の第２の通信端末それぞれに送信する、ゲームシステム。
【請求項３】
請求項１又は２に記載のゲームシステムであって、
前記サーバは、前記応答信号を送信した前記１以上の第２通信端末それぞれのユーザに対してゲーム内で用いられるゲーム媒体を付与し、
前記１以上の第２の通信端末それぞれは、前記ゲーム媒体に関する情報を表示する、ゲームシステム。
【請求項４】
請求項１乃至３の何れか一項に記載のゲームシステムであって、
前記ゲームの進行処理に用いられる前記パラメータは、前記第１の通信端末の前記ユーザのキャラクタに関連付けられたパラメータを含む、ゲームシステム。
【請求項５】
複数のユーザがそれぞれ使用する複数の通信端末と、前記複数の通信端末と通信可能なサーバと、を含むゲームシステムにおけるゲームの制御方法であって、
第１の通信端末が、第１の信号を前記サーバへ送信するステップと、
前記サーバが、
前記複数のユーザに関する情報を記憶するステップと、
前記第１の信号を受信すると、第２の信号を複数の第２の通信端末へ送信するステップと、
１以上の前記第２の通信端末それぞれが、前記第２の信号を受信すると、第１のユーザ操作に応じて応答信号を前記サーバへ送信するステップと、
前記サーバが、所定数の前記第２の通信端末それぞれから前記応答信号を受信すると、前記第１の通信端末のユーザに関する情報のうち、前記ゲームの進行処理に用いられるパラメータを増加させるステップと、
前記第１の通信端末が、前記パラメータに関する情報と、前記応答信号を送信した前記１以上の第２の通信端末それぞれのユーザに関する情報と、を表示するステップと、
を含む、ゲームの制御方法。
【手続補正２】
【補正対象書類名】明細書
【補正対象項目名】発明の名称
【補正方法】変更
【補正の内容】
【発明の名称】ゲームシステム、及びゲームの制御方法
【手続補正３】
【補正対象書類名】明細書
【補正対象項目名】０００１
【補正方法】変更
【補正の内容】
【０００１】
本発明は、ゲームシステム、及びゲームの制御方法に関する。
【手続補正４】
【補正対象書類名】明細書
【補正対象項目名】０００５
【補正方法】変更
【補正の内容】
【０００５】
かかる事情に鑑みてなされた本発明の目的は、対戦ゲームにおいて対戦の処理に用いられるパラメータを変動するゲームシステム、及びゲームの制御方法を提供することにある。
【手続補正５】
【補正対象書類名】明細書
【補正対象項目名】０００６
【補正方法】変更
【補正の内容】
【０００６】
上記課題を解決するために本発明に係るゲームシステムは、
複数のユーザがそれぞれ使用する複数の通信端末と、前記複数の通信端末と通信可能なサーバと、を備えるゲームシステムであって、
第１の通信端末は、第１の信号を前記サーバへ送信し、
前記サーバは、
前記複数のユーザに関する情報を記憶し、
前記第１の信号を受信すると、第２の信号を複数の第２の通信端末へ送信し、
１以上の前記第２の通信端末それぞれは、前記第２の信号を受信すると、第１のユーザ操作に応じて応答信号を前記サーバへ送信し、
前記サーバは、所定数の前記第２の通信端末それぞれから前記応答信号を受信すると、前記第１の通信端末のユーザに関する情報のうち、前記ゲームの進行処理に用いられるパラメータを増加させ、
前記第１の通信端末は、前記パラメータに関する情報と、前記応答信号を送信した前記１以上の第２の通信端末それぞれのユーザに関する情報と、を表示する。
また、本発明に係るゲームの制御方法は、
複数のユーザがそれぞれ使用する複数の通信端末と、前記複数の通信端末と通信可能なサーバと、を含むゲームシステムにおけるゲームの制御方法であって、
第１の通信端末が、第１の信号を前記サーバへ送信するステップと、
前記サーバが、
前記複数のユーザに関する情報を記憶するステップと、
前記第１の信号を受信すると、第２の信号を複数の第２の通信端末へ送信するステップと、
１以上の前記第２の通信端末それぞれが、前記第２の信号を受信すると、第１のユーザ操作に応じて応答信号を前記サーバへ送信するステップと、
前記サーバが、所定数の前記第２の通信端末それぞれから前記応答信号を受信すると、前記第１の通信端末のユーザに関する情報のうち、前記ゲームの進行処理に用いられるパラメータを増加させるステップと、
前記第１の通信端末が、前記パラメータに関する情報と、前記応答信号を送信した前記１以上の第２の通信端末それぞれのユーザに関する情報と、を表示するステップと、を含む。
【手続補正６】
【補正対象書類名】明細書
【補正対象項目名】０００７
【補正方法】変更
【補正の内容】
【０００７】
本発明におけるゲームシステム、及びゲームの制御方法によれば、対戦ゲームにおいて対戦の処理に用いられるパラメータを変動する。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
生体情報の複数の項目について、被験者の測定データを取得する測定データ取得部と、
前記測定データを複数の項目のそれぞれについての平均及び標準偏差に基づいて標準化することにより、前記複数の項目について標準化データを生成する標準化データ生成部と、
前記標準化データを前記複数の項目間において正規化することにより、前記複数の項目について正規化データを生成する正規化データ生成部と、
前記正規化データを、前記複数の項目間の関係性を示す相関係数データに基づいて演算することにより、前記被験者の生体情報の評価指数データを生成する評価指数データ生成部と
を含む、生体情報の評価システム。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
第１始動条件または第２始動条件が成立したことに基づいて可変表示を行い、遊技者にとって有利な有利状態に制御可能な遊技機であって、
前記第１始動条件または前記第２始動条件が成立したにも関わらず未だ開始されていない可変表示に関する情報を保留記憶として記憶可能な保留記憶手段と、
前記第１始動条件が成立したことに基づく可変表示よりも前記第２始動条件が成立したことに基づく可変表示を優先して実行する可変表示制御手段と、
前記第１始動条件または前記第２始動条件が成立したことに基づいて、前記有利状態に制御するか否かを、当該成立した始動条件に基づく可変表示が開始される以前に判定する事前判定手段と、
前記事前判定手段の判定結果に基づいて判定対象となった可変表示が開始される以前に先読み演出を実行する先読み演出実行手段と、
状態移行条件が成立したことにより通常状態とは異なる特別状態に制御する状態制御手段と、
前記第１始動条件または前記第２始動条件が成立したことに基づいて、いずれの始動条件が成立したかを特定可能な成立始動条件特定データと、前記特別状態に制御しているか否かを特定可能な特別状態特定データとの排他的論理和の演算を行う演算手段と、を備え、
前記先読み演出実行手段は、前記演算手段による演算結果が所定の結果である場合、当該演算の対象となった始動条件に対応する先読み演出を実行せず、
前記通常状態と前記特別状態のいずれの状態に制御されている場合であっても、前記演算手段による演算結果が前記所定の結果となり得る、
ことを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、好適な遊技機の提供を目的とする。
【手続補正４】
【補正対象書類名】明細書
【補正対象項目名】０００６
【補正方法】変更
【補正の内容】
【０００６】
上記目的を達成するため、本発明の第１の観点に係る遊技機は、
第１始動条件または第２始動条件が成立したことに基づいて可変表示を行い、遊技者にとって有利な有利状態に制御可能な遊技機であって、
前記第１始動条件または前記第２始動条件が成立したにも関わらず未だ開始されていない可変表示に関する情報を保留記憶として記憶可能な保留記憶手段と、
前記第１始動条件が成立したことに基づく可変表示よりも前記第２始動条件が成立したことに基づく可変表示を優先して実行する可変表示制御手段と、
前記第１始動条件または前記第２始動条件が成立したことに基づいて、前記有利状態に制御するか否かを、当該成立した始動条件に基づく可変表示が開始される以前に判定する事前判定手段と、
前記事前判定手段の判定結果に基づいて判定対象となった可変表示が開始される以前に先読み演出を実行する先読み演出実行手段と、
状態移行条件が成立したことにより通常状態とは異なる特別状態に制御する状態制御手段と、
前記第１始動条件または前記第２始動条件が成立したことに基づいて、いずれの始動条件が成立したかを特定可能な成立始動条件特定データと、前記特別状態に制御しているか否かを特定可能な特別状態特定データとの排他的論理和の演算を行う演算手段と、を備え、
前記先読み演出実行手段は、前記演算手段による演算結果が所定の結果である場合、当該演算の対象となった始動条件に対応する先読み演出を実行せず、
前記通常状態と前記特別状態のいずれの状態に制御されている場合であっても、前記演算手段による演算結果が前記所定の結果となり得る、
ことを特徴とする。
（１）上記目的を達成するため、本発明の他の観点に係る遊技機は、
電力の供給を受けて動作可能であり、遊技領域に設けられた始動領域（例えば第１始動入賞口、第２始動口）を遊技媒体が通過したことに基づいて、各々を識別可能な複数種類の識別情報の可変表示を行って表示結果を導出する可変表示手段に予め定められた特定表示結果（例えば大当り図柄など）が導出されたときに、遊技者にとって有利な特定遊技状態に制御する遊技機（例えばパチンコ遊技機１など）であって、
前記遊技機への電力の供給状態を監視し、前記遊技機へ供給される電力の低下に基づいて低下信号を出力する電力監視手段（例えば電源監視回路など）と、
所定の検知を行い、検知結果を示す検知信号を出力する検知手段（例えば各種スイッチなど）と、
前記検知手段が出力した検知信号が入力される入力端子（例えば入力ポートなど）と、
前記入力端子へ検知信号が入力されたことに基づいて、入力された検知信号の入力状況を示すデータをデータ保持手段に格納する入力データ記憶手段（ステップＳ９３２の処理を実行するＣＰＵ１０３など）と、
前記データ保持手段に格納されたデータに基づいて遊技の進行を制御する制御手段（例えばスイッチ処理の実行結果に応じてステップＳ１４以降の処理を実行するＣＰＵ１０３など）と、を備え、
前記入力データ記憶手段は、前記電力監視手段から低下信号が前記入力端子に入力されている場合、前記データ保持手段へのデータの格納を制限し（例えばステップＳ９３１にて電源断信号ありと判定された場合にはステップＳ９３２、９３３の処理をスキップするなど）、
前記検知手段は、前記始動領域を遊技媒体が通過したことを示す検知信号を出力する、
ことを特徴とする。
【手続補正５】
【補正対象書類名】明細書
【補正対象項目名】０００７
【補正方法】変更
【補正の内容】
【０００７】
上記（１）の遊技機のような構成によれば、低下信号が入力され動作が不安定なときの検知信号の入力状況は取得されないため、取得した検知信号の信頼性を向上することができる。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
加圧低極性水でバイオマス原料から成分を抽出及び回収するための装置であって、下記の要素：
（１）２つ以上の反応カラムであって、各反応カラムが別々に、(i)加熱された水の供給源、(ii)加熱加圧された水の供給源、及び(iii)冷却加圧された水の供給源と連通し、各反応カラムは液体生成物流を放出するための出口を有する反応カラム；
（２）前記各反応カラムを加圧するためのポンプ；
（３）前記各反応カラム及び前記ポンプと協働して、(iv)前記各反応カラムを選択された圧力に加圧し、(v)前記各反応カラム内で前記選択圧力を選択された時間維持し、及び(vi)前記各加圧反応カラムの圧力を解放する複数の弁；及び
（４）前記各反応カラムが加圧されている期間内において、前記各反応カラムから前記液体生成物流を受けるための収集容器、
を有し、
（５）更に、各前記反応カラムが、減圧された後に、各前記反応カラムから放出される廃水流を受ける容器を有することを特徴とする回収装置。
【請求項２】
１つ以上の水処理装置であって、該水処理装置の中で廃水流を受けて精製するための１つ以上の水処理装置を更に含む、請求項１に記載の装置。
【請求項３】
前記精製水を、加熱及びpH調整の１つ以上によって処理するための装置を更に含む、請求項２に記載の装置。
【請求項４】
前記精製水の一部を貯蔵するための貯蔵所を更に含む、請求項３に記載の装置。
【請求項５】
前記廃水流の一部を貯蔵するための貯蔵所を更に含む、請求項１に記載の装置。
【請求項６】
前記各反応カラムが加圧されている期間において、前記各反応カラムから前記液体生成物流を順次受け入れるための１つ以上の収集容器を更に含む、請求項１に記載の装置。
【請求項７】
前記加熱水の供給源が、前記各反応カラムに熱水を張って、加圧低極性水を発生させるための、水源、少なくとも1つの熱交換器、少なくとも1つの加熱器、及び背圧調整器と連通する配管基盤を含む、請求項１に記載の装置。
【請求項８】
前記加熱水の供給源が、前記各反応カラムを選択された温度に加温するための、水源、少なくとも１つの熱交換器、少なくとも１つの加熱器、及び背圧調整器と連通する配管基盤を含む、請求項１に記載の装置。
【請求項９】
前記加熱加圧水の供給源が、連続的に加圧低極性熱水を前記各反応カラム中に流すための、水源、少なくとも１つの熱交換器、少なくとも１つの加熱器、及び背圧調整器と連通する配管基盤を含み、前記第３配管基盤は更に前記収集容器と連通している、請求項１に記載の装置。
【請求項１０】
前記冷却加圧水の供給源が、前記各反応カラムを選択された温度に冷却するための、水源、少なくとも１つの熱交換器、少なくとも１つの加熱器、及び背圧調整器と連通する配管基盤を含む、請求項１に記載の装置。
【請求項１１】
前記水の流れを制御可能に順次、(i)前記各反応カラムに熱水を張って、加圧低極性水を発生させるための、水源、少なくとも１つの熱交換器、少なくとも１つの加熱器、及び背圧調整器と連通する第１配管基盤、(ii)前記各反応カラムを選択された温度に加熱するための、水源、少なくとも１つの熱交換器、少なくとも１つの加熱器、及び背圧調整器と連通する第２配管基盤、(iii)連続的に加圧低極性熱水を前記各反応カラム中に流すための、水源、少なくとも１つの熱交換器、少なくとも１つの加熱器、及び背圧調整器と連通する第３配管基盤であって、更に前記収集容器と連通している第３配管基盤、並びに(iv)前記各反応カラムを選択された温度に冷却するための、水源、少なくとも1つの熱交換器、少なくとも1つの加熱器、及び背圧調整器と連通する第4配管基盤に向けるために前記2つ以上の反応カラム、前記加熱水の供給源、前記加熱加圧水の供給源、前記冷却加圧水の供給源、前記各反応カラムを加圧するための前記ポンプ、及び前記複数の弁と連通する自動制御システムを更に含む、請求項１に記載の装置。
【請求項１２】
前記自動制御システムが、プログラム可能である、請求項11に記載の装置。
【請求項１３】
前記自動制御システムを手動操作することができる、請求項11に記載の装置。
【請求項１４】
前記水の流れを制御可能に順次前記第1配管基盤、前記第2配管基盤、前記第3配管基盤、及び前記第4配管基盤に向けるための、前記２つ以上の反応カラム、前記加熱水の供給源、前記加熱加圧水の供給源、前記冷却加圧水の供給源、前記各反応カラムを加圧するための前記ポンプ、及び前記複数の弁と連通する手動制御システムを更に含む、請求項11に記載の装置。
【手続補正書】
【提出日】平成28年9月2日(2016.9.2)
【手続補正１】
【補正対象書類名】明細書
【補正対象項目名】０１５２
【補正方法】変更
【補正の内容】
【０１５２】
以上の結果から、ＰＦＯＡのような物質であっても、細胞に適合性を有する液体を媒体として溶液とし用い、媒体を蒸発させることで、細胞に対して適切に供給し接触させて、細胞を用いてインビトロでかつ濃度依存的に安全に生体適合性（毒性）を評価できることがわかった。また、液体を利用することで、ＰＦＯＡのような細胞毒性が高いと思われる物質であっても、細胞適合性（毒性）等の評価を適切に実施できることがわかった。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
細胞療法のための治療的組成物を作製する方法であって、
(a)
(i) Octポリペプチドをコードするポリヌクレオチド、Klfポリペプチドをコードするポリヌクレオチド、およびSoxポリペプチドをコードするポリヌクレオチドを含む1つまたは複数の発現カセット；または
(ii) 外因性Octポリペプチド、外因性Soxポリペプチド、および外因性Klfポリペプチド
を体細胞、前駆細胞、または哺乳動物非多能性幹細胞に導入する工程；ならびに
(b) 該体細胞、前駆細胞、または哺乳動物非多能性幹細胞と、GSK3インヒビター、MEKインヒビター、およびTGFβ受容体/ALK5インヒビターを接触させる工程
を含み、
該治療的組成物が、段階(a)および(b)から得られた該細胞を含む、
方法。
【請求項２】
OctポリペプチドがOct4である、請求項１記載の方法。
【請求項３】
KlfポリペプチドがKlf4である、請求項１記載の方法。
【請求項４】
SoxポリペプチドがSox2である、請求項１記載の方法。
【請求項５】
体細胞、前駆細胞、または哺乳動物非多能性幹細胞が、ヒト細胞である、請求項1記載の方法。
【請求項６】
体細胞が線維芽細胞を含む、請求項1記載の方法。
【請求項７】
前駆細胞を含む、請求項1記載の方法。
【請求項８】
前駆細胞が神経前駆細胞、皮膚前駆細胞、または毛包前駆細胞である、請求項7記載の方法。
【請求項９】
TGFβ受容体/ALK5インヒビターがSB431542およびA-83-01からなる群から選択され、
GSK3インヒビターがCHIR99021を含み、MEKインヒビターがPD0325901を含む、請求項1記載の方法。
【請求項１０】
細胞療法のための治療的組成物の製造のための混合物の使用であって、
該混合物が、
(a) 体細胞、前駆細胞、または非多能性幹細胞、ならびに
(b) GSK3インヒビター、MEKインヒビター、およびTGFβ受容体/ALK5インヒビター
を含み、
該体細胞、前駆細胞、または非多能性幹細胞が、
(i) Octポリペプチドをコードするポリヌクレオチド、Klfポリペプチドをコードするポリヌクレオチド、およびSoxポリペプチドをコードするポリヌクレオチドを含む1つまたは複数の発現カセット；または
(ii) 外因性Octポリペプチド、外因性Soxポリペプチド、および外因性Klfポリペプチド
を含む、
使用。
【請求項１１】
OctポリペプチドがOct4である、請求項10記載の使用。
【請求項１２】
KlfポリペプチドがKlf4である、請求項10記載の使用。
【請求項１３】
SoxポリペプチドがSox2である、請求項10記載の使用。
【請求項１４】
体細胞、前駆細胞、または非多能性幹細胞が、ヒト細胞である、請求項10記載の使用。
【請求項１５】
体細胞が線維芽細胞を含む、請求項10記載の使用。
【請求項１６】
前駆細胞を含む、請求項10記載の使用。
【請求項１７】
前駆細胞が神経前駆細胞、皮膚前駆細胞、または毛包前駆細胞である、請求項16記載の使用。
【請求項１８】
TGFβ受容体/ALK5インヒビターがSB431542およびA-83-01からなる群から選択され、
GSK3インヒビターがCHIR99021を含み、MEKインヒビターがPD0325901を含む、請求項10記載の使用。
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
給電装置が有するアンテナとの間で共鳴による結合を形成する機能を有する第１アンテナと、
前記第１アンテナとの間で電磁誘導による結合を形成する機能を有する第２アンテナと、
前記第１アンテナ及び前記第２アンテナを介して前記給電装置から与えられる交流電圧を整流して直流電圧を生成する第１の機能と、前記第２アンテナが有するアンテナ素子の一対の給電点を短絡させる第２の機能と、を有する整流回路と、
制御回路と、を有し、
前記制御回路は、前記整流回路における前記第１の機能と前記第２の機能とを選択する機能を有する受電装置。
【請求項２】
給電装置が有するアンテナとの間で共鳴による結合を形成する機能を有する第１アンテナと、
前記第１アンテナとの間で電磁誘導による結合を形成する機能を有する第２アンテナと、
前記第１アンテナ及び前記第２アンテナを介して前記給電装置から与えられる交流電圧を整流して直流電圧を生成する第１の機能と、前記第２アンテナが有するアンテナ素子の一対の給電点を短絡させる第２の機能と、を有する整流回路と、
前記給電装置から、前記交流電圧の周期の情報を含む第１信号を、無線で受け取る機能を有する受信回路と、
制御回路と、を有し、
前記制御回路は、前記整流回路における前記第１の機能と前記第２の機能とを選択するための第２信号を前記第１信号に従って生成する機能を有する受電装置。
【請求項３】
給電装置が有するアンテナとの間で共鳴による結合を形成する機能を有する第１アンテナと、
前記第１アンテナとの間で電磁誘導による結合を形成する機能を有する第２アンテナと、
前記第１アンテナ及び前記第２アンテナを介して前記給電装置から与えられる交流電圧を整流して直流電圧を生成する第１の機能と、前記第２アンテナが有するアンテナ素子の一対の給電点を短絡させる第２の機能と、を有する整流回路と、
前記整流回路から出力された前記直流電圧が与えられる負荷と、
制御回路と、を有し、
前記負荷は、前記直流電圧を用いて充電を行なう機能を有する蓄電装置と、前記蓄電装置における前記充電が完了した際に、前記制御回路に前記充電が完了したことを通知する機能を有する充電制御回路と、を有し、
前記制御回路は、前記充電が完了したことが通知されると前記整流回路において前記第２の機能が選択されるよう制御する機能を有する受電装置。
【請求項４】
給電装置と、
受電装置と、を有し、
前記受電装置は、前記給電装置が有するアンテナとの間で共鳴による結合を形成する機能を有する第１アンテナと、
前記第１アンテナとの間で電磁誘導による結合を形成する機能を有する第２アンテナと、
前記第１アンテナ及び前記第２アンテナを介して前記給電装置から与えられる交流電圧を整流して直流電圧を生成する第１の機能と、前記第２アンテナが有するアンテナ素子の一対の給電点を短絡させる第２の機能と、を有する整流回路と、
制御回路と、を有し、
前記制御回路は、前記整流回路における前記第１の機能と前記第２の機能とを選択する機能を有する無線給電システム。
【請求項５】
給電装置と、
受電装置と、を有し、
前記受電装置は、前記給電装置が有するアンテナとの間で共鳴による結合を形成する機能を有する第１アンテナと、
前記第１アンテナとの間で電磁誘導による結合を形成する機能を有する第２アンテナと、
前記第１アンテナ及び前記第２アンテナを介して前記給電装置から与えられる交流電圧を整流して直流電圧を生成する第１の機能と、前記第２アンテナが有するアンテナ素子の一対の給電点を短絡させる第２の機能と、を有する整流回路と、
前記給電装置から、前記交流電圧の周期の情報を含む第１信号を、無線で受け取る機能を有する受信回路と、
制御回路と、を有し、
前記制御回路は、前記整流回路における前記第１の機能と前記第２の機能とを選択するための第２信号を前記第１信号に従って生成する機能を有する無線給電システム。
【請求項６】
給電装置と、
受電装置と、を有し、
前記受電装置は、前記給電装置が有するアンテナとの間で共鳴による結合を形成する機能を有する第１アンテナと、
前記第１アンテナとの間で電磁誘導による結合を形成する機能を有する第２アンテナと、
前記第１アンテナ及び前記第２アンテナを介して前記給電装置から与えられる交流電圧を整流して直流電圧を生成する第１の機能と、前記第２アンテナが有するアンテナ素子の一対の給電点を短絡させる第２の機能と、を有する整流回路と、
前記整流回路から出力された前記直流電圧が与えられる負荷と、
制御回路と、を有し、
前記負荷は、前記直流電圧を用いて充電を行なう機能を有する蓄電装置と、前記蓄電装置における前記充電が完了した際に、前記制御回路に前記充電が完了したことを通知する機能を有する充電制御回路と、を有し、
前記制御回路は、前記充電が完了したことが通知されると前記整流回路において前記第２の機能が選択されるよう制御する機能を有する無線給電システム。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
少なくとも１つのアンテナと、処理回路と、前記処理回路を覆うカバーとを同じ基板上に有する回路であって、
前記アンテナと前記カバーとの間に、前記基板上に部分的に実現され、前記カバー上に部分的に実現されたスロットラインにより形成された少なくとも１つの分離要素を有することを特徴とする回路。
【請求項２】
前記スロットラインは、第３のスロットラインにより相互接続された第１のスロットライン及び第２のスロットラインを有することを特徴とする、請求項１に記載の回路。
【請求項３】
前記第１及び第２のスロットラインは、L1+L’1がL2+L’2と等しくなるように又は異なるように、前記基板上にそれぞれL1及びL2の第１の長さを有し、前記カバー上にそれぞれL’1及びL’2の第２の長さを有することを特徴とする、請求項２に記載の回路。
【請求項４】
前記第１及び第２のスロットラインの長さは、λg/4に近く、λgは動作周波数の波長であることを特徴とする、請求項２又は３に記載の回路。
【手続補正２】
【補正対象書類名】明細書
【補正対象項目名】００１９
【補正方法】変更
【補正の内容】
【００１９】
分離要素を実現するスロットラインは、分離レベル又は分離帯域を増加させるために、同じ長さを有してもよく、異なる長さを有してもよいことが、当業者に明らかである。更に、スロットは、L形状若しくはC形状又はその位置に互換性のある他の形状を有してもよい。
以上の実施例に関し、更に、以下の項目を開示する。
（付記１）少なくとも１つのアンテナと、処理回路と、前記処理回路を覆うカバーとを同じ基板上に有する回路であって、
前記アンテナと前記カバーとの間に、前記基板上に部分的に実現され、前記カバー上に部分的に実現されたスロットラインにより形成された少なくとも１つの分離要素を有することを特徴とする回路。
（付記２）前記スロットラインは、第３のスロットラインにより相互接続された第１のスロットライン及び第２のスロットラインを有することを特徴とする、付記１に記載の回路。
（付記３）前記第１及び第２のスロットラインは、L1+L’1がL2+L’2と等しくなるように又は異なるように、前記基板上にそれぞれL1及びL2の第１の長さを有し、前記カバー上にそれぞれL’1及びL’2の第２の長さを有することを特徴とする、付記１に記載の回路。
（付記４）前記第１及び第２のスロットラインの長さは、λg/4に近く、λgは動作周波数の波長であることを特徴とする、付記１又は２に記載の回路。
【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ビデオデータを自動的に分析して行動パターンを識別する、コンピュータが実行する方法であって、
複数のグリッドセルを含むグリッドに関連する物理的領域内の１つ以上の対象の画像を表す複数のフレームを含むビデオデータを、前記グリッドの１つ以上の前記グリッドセルを撮影する１つ以上のカメラから受信するステップと、
前記ビデオデータ内における、前記物理的領域に関連する前記グリッドの第１のグリッドセルから前記グリッドの第２のグリッドセルへの注意の対象の動きを表す複数の事象を識別するステップと、
前記複数の事象を反映する複数の事象データ記録を生成するステップと、
前記複数の事象データ記録から１つ以上の頻出するエピソードを判定するステップであって、前記エピソードには、特定の注意の対象に関連する一連の事象が含まれる、ステップと、を含む方法。
【請求項２】
前記ビデオデータが、前記物理的領域に対する異なる光学視点を有する複数のカメラから撮影される、請求項１に記載の方法。
【請求項３】
事象を識別するステップには、
第１のフレーム内の第１の注意の対象を識別することと、
前記第１のフレーム内の前記第１の注意の対象の第１のグリッドポジションを識別することと、
前記第１のフレームに隣接する第２のフレーム内の第２の注意の対象を識別することと、
前記第２のフレーム内の前記第２の注意の対象の第２のグリッドポジションを識別することと、
前記第２の注意の対象が、前記第１の注意の対象と一致することを判定すること、
前記第２のグリッドポジションが、前記第１のグリッドポジションとは異なることを判定することとが含まれる、請求項１に記載の方法。
【請求項４】
監視される注意の対象の前記第１のグリッドポジション及び前記第２のグリッドポジションを反映する事象データ記録を生成するステップであって、前記監視される注意の対象は、前記第１の注意の対象及び前記第２の注意の対象に対応するステップをさらに含む請求項３に記載の方法。
【請求項５】
前記第２の注意の対象が、前記第１の注意の対象と一致することを判定するステップには、
前記第１の注意の対象の特異な画像の特性を反映する対象符号を生成することと、
前記第２の注意の対象が、前記対象符号と一致することを判定することとが含まれる、請求項３に記載の方法。
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
トランジスタと、インバータ回路と、を有し、
前記トランジスタは、ソース及び第１のゲートに第１の電源電位が印加され、第２のゲートに第２の電源電位が印加され、
前記インバータ回路は、第１の信号が入力され、第２の信号を出力し、
前記インバータ回路は、電源電圧として、前記第１の電源電位から前記トランジスタのしきい値電圧の変化量を減算した電位と、前記第３の電源電位とが印加され、
前記トランジスタのチャネル形成領域は、酸化物半導体を有することを特徴とするレベルシフト回路。
【請求項２】
第１及び第２のトランジスタと、第１及び第２のインバータ回路と、を有し、
前記第１のトランジスタは、ソース及び第１のゲートに第１の電源電位が印加され、第２のゲートに第２の電源電位が印加され、
前記第２のトランジスタは、ソース及び第１のゲートに前記第１の電源電位から前記第１のトランジスタのしきい値電圧の変化量を減算した第１の電位が印加され、第２のゲートに第３の電源電位が印加され、
前記第１のインバータ回路は、第１の信号が入力され、第２の信号を出力し、
前記第１のインバータ回路は、電源電圧として、前記第１の電位と第３の電源電位とが印加され、
前記第２のインバータ回路は、前記第１の信号が入力され、第３の信号を出力し、
前記第２のインバータ回路は、電源電圧として、前記第１の電位から前記第２のトランジスタのしきい値電圧の変化量を減算した第２の電位と、前記第３の電源電位とが印加され、
前記第１及び前記第２のトランジスタのチャネル形成領域は、酸化物半導体を有することを特徴とするレベルシフト回路。
【請求項３】
トランジスタと、第１及び第２のインバータ回路と、を有し、
前記トランジスタは、ソース及び第１のゲートに第１の電源電位が印加され、第２のゲートに第２の電源電位が印加され、
前記第１のインバータ回路は、第１の信号が入力され、第２の信号を出力し、
前記第１のインバータ回路は、電源電圧として、前記第１の電源電位から前記トランジスタのしきい値電圧の変化量を減算した第１の電位と、第３の電源電位とが印加され、
前記第２のインバータ回路は、前記第２の信号が入力され、第３の信号を出力し、
前記第２のインバータ回路は、電源電圧として、前記第１の電位と、前記第３の電源電位とが印加され、
前記トランジスタのチャネル形成領域は、酸化物半導体を有することを特徴とするレベルシフト回路。
【請求項４】
第１及び第２のトランジスタと、第１及び第２のインバータ回路と、を有し、
前記第１のトランジスタは、ソース及び第１のゲートに第１の電源電位が印加され、第２のゲートに第２の電源電位が印加され、
前記第２のトランジスタは、ドレインと第１のゲートが電気的に接続され、ソースに第３の電源電位が印加され、第２のゲートに第４の電源電位が印加され、
前記第１のインバータ回路は、第１の信号が入力され、第２の信号を出力し、
前記第１のインバータ回路は、電源電圧として、前記第１の電源電位から前記第１のトランジスタのしきい値電圧の変化量を減算した第１の電位と、前記第３の電源電位に前記第２のトランジスタのしきい値電圧の変化量を加算した第２の電位とが印加され、
前記第２のインバータ回路は、前記第２の信号が入力され、第３の信号を出力し、
前記第２のインバータ回路は、電源電圧として、前記第１の電位と前記第２の電位とが印加され、
前記第１及び前記第２のトランジスタのチャネル形成領域は、酸化物半導体を有することを特徴とするレベルシフト回路。
【請求項５】
請求項１乃至４のいずれか一に記載のレベルシフト回路と、
第７のトランジスタ及び容量素子を有するメモリセルを複数備えたメモリセルアレイと、を有し、
前記第７のトランジスタのチャネル形成領域は、酸化物半導体を有することを特徴とする半導体集積回路。
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
ガスタービンエンジンと、
氷結防止熱回収システムと、
を備えるシステムであって、
前記氷結防止熱回収システムが、
前記ガスタービンエンジンの排気部分から作動流体を受け取り、前記作動流体からの熱を冷却された中間の熱伝達媒体に伝え、加熱された中間の熱伝達媒体を生成するように構成される第１の熱交換器と、
前記第１の熱交換器から前記加熱された中間の熱伝達媒体を受け取り、前記加熱された中間の熱伝達媒体からの熱を前記ガスタービンエンジンに進入する空気に伝えるように構成される第２の熱交換器と、
前記作動流体を前記ガスタービンエンジンの前記排気部分から前記第１の熱交換器を通るように推し進め前記排気部分に戻るように構成される可変速度ファンと、
前記可変速度ファンのファン速度を、前記ガスタービンエンジンに進入する前記空気の入口温度および前記作動流体の排気温度を示すセンサフィードバックに基づいて制御するように構成された制御装置と、
を備え、
前記制御装置が、
前記作動流体の前記排気温度が閾値酸露点温度以下のとき、前記可変速度ファンの前記ファン速度を下げ、
前記作動流体の前記排気温度が閾値酸露点温度を超え、かつ、前記入口温度が、氷結防止温度の範囲内にあるとき、前記可変速度ファンの前記ファン速度を調節する
ように構成され、
前記制御装置が、前記作動流体の前記排気温度が閾値酸露点温度を超えるときのみ、前記ガスタービンエンジンを氷結防止するために前記可変速度ファンの前記ファン速度を調節するように構成されている、
システム。
【請求項２】
前記第２の熱交換器が、前記ガスタービンエンジンの空気取入れ部分内に配置され、前記ガスタービンエンジンの前記空気取入れ部分が、前記ガスタービンエンジンの外から、前記第２の熱交換器を通って前記ガスタービンエンジンの圧縮機まで空気を誘導するように構成されている、請求項１に記載のシステム。
【請求項３】
前記氷結防止熱回収システムが、１つまたは複数のポンプを有するポンプシステムを備えており、前記ポンプが、前記中間の熱伝達媒体を氷結防止液タンクから前記第１および第２の熱交換器を通るように推し進めるように構成されている、請求項１に記載のシステム。
【請求項４】
少なくとも前記第１の熱交換器、前記ポンプシステム、および前記可変速度ファンを支持するように構成されたスキッドを備える、請求項３に記載のシステム。
【請求項５】
氷結防止熱回収システムを備えるシステムであって、前記氷結防止熱回収システムが、
ガスタービンエンジンの排気部分から作動流体を受け取り、前記作動流体からの熱を冷却された中間の熱伝達媒体に伝え、加熱された中間の熱伝達媒体を生成するように構成されている第１の熱交換器と、
前記第１の熱交換器から前記加熱された中間の熱伝達媒体を受け取り、前記加熱された中間の熱伝達媒体からの熱を前記ガスタービンエンジンに進入する空気に伝えるように構成されている第２の熱交換器と、
前記作動流体を前記ガスタービンエンジンの前記排気部分から前記第１の熱交換器を通るように推し進めるように構成されている可変速度ファンと、
前記作動流体の排気温度を測定するように構成された排気温度センサと、
前記ガスタービンエンジンに進入する前記空気の入口温度を測定するように構成された入口温度センサと、
通信可能に結合され、前記排気温度センサおよび前記入口温度センサからそれぞれ前記排気温度および前記入口温度を示すフィードバックを受信し、前記排気温度が閾値酸露点温度を超える温度を維持するように前記可変速度ファンの前記ファン速度を制御し、前記ガスタービンエンジンを氷結防止するように構成された制御装置と、
を備え、
前記制御装置が、閾値酸露点温度を超える第１の維持排気温度に前記可変速度ファンの前記ファン速度を制御し、前記排気温度が閾値酸露点温度を超えるときのみ前記ガスタービンエンジンを氷結防止するように構成されている、
システム。
【請求項６】
少なくとも前記第１の熱交換器、ポンプシステム、および前記可変速度ファンを支持するように構成されたスキッドを備える、請求項５に記載のシステム。
【請求項７】
前記第２の熱交換器が、前記ガスタービンエンジンの空気取入れ部分内に配置され、前記ガスタービンエンジンの前記空気取入れ部分が、前記ガスタービンエンジンの外から、前記第２の熱交換器を通って前記ガスタービンエンジンの圧縮機まで空気を誘導するように構成されている、請求項５に記載のシステム。
【請求項８】
前記制御装置が、前記作業流体の前記排気温度が前記閾値酸露点温度以下のとき、前記可変速度ファンの前記ファン速度を下げるように構成されている、請求項５に記載のシステム。
【請求項９】
前記制御装置が、前記作業流体の前記排気温度が前記閾値酸露点温度を上回り、ガスタービンエンジンに進入する前記空気の前記入口温度が氷結防止下側閾値温度より大きく氷結防止上側閾値温度よりも小さいとき、前記可変速度ファンの前記ファン速度を調節するように構成されている、請求項８に記載のシステム。
【請求項１０】
前記氷結防止熱回収システムを有する前記ガスタービンエンジンを備える、請求項５に記載のシステム。
【請求項１１】
少なくともガスタービンエンジンに進入する空気の入口温度と作動流体の排気温度とを示すデータに基づいて、可変速度ファンのファン速度を制御するステップであって、
前記可変速度ファンが、ガスタービンエンジンの排気部分から第１の熱交換器を通るように作動流体を推し進めるように構成されており、
前記第１の熱交換器が、前記作動流体からの熱を冷却された中間の熱伝達媒体に伝えることで、加熱された中間の熱伝達媒体を生成し、前記ガスタービンエンジンに進入する空気を加熱するように構成され、
前記作動流体の前記排気温度が閾値酸露点温度を超えるか否かを判断するステップと、
前記作動流体の前記排気温度が閾値酸露点温度以下のときには、前記ファン速度を下げるステップと、
前記作動流体の前記排気温度が閾値酸露点温度を超えるときには、前記ガスタービンエンジンに進入する前記空気の前記入口温度が氷結防止温度の範囲内にあるか否かを判断するステップと、
前記ガスタービンエンジンに進入する前記空気の前記入口温度が氷結防止温度の範囲内にあるときには、前記ファン速度を調節するステップと、
を含むステップ
を含む、方法。
【請求項１２】
前記制御装置に通信可能に結合されたセンサから、少なくとも前記ガスタービンエンジンに進入する前記空気の前記入口温度と前記作動流体の前記排気温度とを示す前記データを、前記制御装置により受信するステップと、
前記制御装置により前記ファン速度を調節するステップと、
を含む、請求項１１に記載の方法。
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
基板に連続膜を形成する紫外線活性化膜を前記基板に硬化する硬化プロセスの間に前記紫外線活性化膜に赤外線を放射するように構成された光源と、
前記硬化プロセスの間、所定の波長の赤外線が、紫外線活性化膜基板境界で前記基板から及び空気紫外線活性化膜境界で前記紫外線活性化膜から反射した後に、自身を透過するように位置決めされている光学フィルタと、
前記紫外線活性化膜基板境界及び前記空気紫外線活性化膜境界から反射し且つ前記光学フィルタを透過した前記赤外線を検出するように位置決めされた光検出器と、
を含む、センサであって、
前記センサは、前記紫外線活性化膜基板境界及び前記空気紫外線活性化膜境界から反射しかつ検出された前記赤外線に基づいて、前記硬化プロセスの間に、前記紫外線活性化膜を前記基板に硬化するレベルを、リアルタイムで決定するように構成されている、
センサ。
【請求項２】
前記光学フィルタは、バンドバス光学フィルタである、請求項１に記載のセンサ。
【請求項３】
前記紫外線活性化膜基板境界及び前記空気紫外線活性化膜境界から反射した前記赤外線の波長は、６μｍ〜１２μｍである、請求項１に記載のセンサ。
【請求項４】
前記基板は、紙及びプラスティックの少なくとも１つを含む、請求項１に記載のセンサ。
【請求項５】
前記紫外線活性化膜は、紫外線活性化樹脂を含む、請求項１に記載のセンサ。